(57)【特許請求の範囲】
【請求項１】
天井内に埋設される本体の下端に、吹出口を有する化粧パネルを設け、この化粧パネルの中央開口の奥部には吸込空気を清浄化するためのフィルタを設け、前記中央開口を両側に吸込口空間を残して塞ぐセンターパネルを設けた天井埋込型空気調和装置において、
前記センターパネルには所定高さの脚部を介して前記フィルタを支持し、このフィルタと一体的に前記センターパネルを昇降自在に形成したことを特徴とする天井埋込型空気調和装置。
【請求項２】
天井内に埋設される本体の下端に、吹出口を有する化粧パネルを設け、この化粧パネルの中央開口の奥部には吸込空気を清浄化するためのフィルタを設け、前記中央開口を両側に吸込口空間を残して塞ぐセンターパネルを設けた天井埋込型空気調和装置において、
前記センターパネルには所定高さの脚部を介して前記フィルタを支持し、当該センターパネルの四ヶ所を吊りひもにて吊持し、この吊りひもを繰り出し／巻き取りするための昇降機構を、前記化粧パネルに設けたことを特徴とする天井埋込型空気調和装置。
【請求項３】
前記センターパネルの両端、及び中央の三ヶ所を前記化粧パネルに一時的に仮止めする仮止め具を設けたことを特徴とする請求項２に記載の天井埋込型空気調和装置。
【発明の詳細な説明】
【０００１】
【発明の属する技術分野】
本発明は、二方向カセット型の天井埋込型空気調和装置の改良に関する。
【０００２】
【従来の技術】
一般に、天井内に埋設される本体の下端に、吹出口を有する化粧パネルを設け、この化粧パネルの中央開口の奥部にはフィルタを設け、前記開口の前部には両側に吸込口を残すように板金製のセンターパネルを設けた天井埋込型空気調和装置は知られている。この種のものでは、例えばフィルタを交換、清掃等する場合、センターパネルを外して、フィルタを取り外し、このフィルタを清掃してから再び、清掃済みのフィルタを取り付け、その後にセンターパネルを取り付けるようにしている。しかしながら、従来の構成では、フィルタを取り外す時に、ごみが落下するので、衛生上好ましくないし、またフィルタの取り外しは高所での作業となるので、安全上好ましくないという問題がある。
【０００３】
一方、従来では、化粧パネルの開口にフィルタを支持する吸込グリルを設け、この吸込グリルをフィルタごと昇降自在に形成し、フィルタを交換する時には吸込グリルをフィルタごと降下させて、このフィルタを低所で交換できるようにした空気調和装置が提案されている。
【０００４】
【発明が解決しようとする課題】
しかしながら、従来の構成によっても吸込グリルには空気の通る格子孔が形成されるので、吸込グリルの昇降時に、この格子孔を通じてフィルタに付着するごみが落下するので、食品関係の工場や販売店等における空気調和装置に利用する場合には、このごみの落下という問題が残存するという問題がある。
【０００５】
そこで、本発明の目的は、フィルタの清掃、交換時等においてごみを床に落下させることのない天井埋込型空気調和装置を提供することにある。
【０００６】
【課題を解決するための手段】
請求項１に記載の発明は、天井内に埋設される本体の下端に、吹出口を有する化粧パネルを設け、この化粧パネルの中央開口の奥部には吸込空気を清浄化するためのフィルタを設け、前記中央開口を両側に吸込口空間を残して塞ぐセンターパネルを設けた天井埋込型空気調和装置において、センターパネルには所定高さの脚部を介して前記フィルタを支持し、このフィルタと一体的に前記センターパネルを昇降自在に形成したものである。
【０００７】
請求項２に記載の発明は、天井内に埋設される本体の下端に、吹出口を有する化粧パネルを設け、この化粧パネルの中央開口の奥部には吸込空気を清浄化するためのフィルタを設け、前記中央開口を両側に吸込口空間を残して塞ぐセンターパネルを設けた天井埋込型空気調和装置において、センターパネルには所定高さの脚部を介して前記フィルタを支持し、当該センターパネルの四ヶ所を吊りひもにて吊持し、この吊りひもを繰り出し／巻き取りするための昇降機構は前記化粧パネルに設けたものである。
【０００８】
請求項１又は２に記載の発明によれば、センターパネルの上部に脚部を介してフィルタが設けられるので、このセンターパネルの昇降時に振動等が発生したとしても、このフィルタに付着するごみはセンターパネルの上に落下し、そこに捕集されるので、例えば床に落下することはない。
【０００９】
請求項３に記載の発明は、請求項２に記載のものにおいて、センターパネルの両端、及び中央の三ヶ所を化粧パネルに一時的に仮止めする仮止め具を設けたものである。
【００１０】
天井埋込型空気調和装置の設置工事の際には、電源を投入する前にセンターパネルを化粧パネルの所定の位置に仮止めすることが行われる。通常、このセンターパネルは重量が重く、そのわりには剛性に欠ける薄い鉄板等により形成されるので、センターパネルを仮止めする場合には、両端を仮止めしただけでは、中央が大きく撓んで、このセンターパネルが変形する。
【００１１】
請求項３に記載の発明によれば、センターパネルを両端、及び中央の三ヶ所の仮止め具を用いて仮止めするので、前記変形は抑制される。
【００１２】
【発明の実施の形態】
以下、本発明の一実施の形態を図面を参照して説明する。
【００１３】
図１において、符号１は天井内に埋設される箱形の本体を示している。この本体１の内部には、図２に示すように、熱交換器３、送風機５等が収納されている。本体１の下端には、両端に吹出口７を有する化粧パネル９が固定され、この化粧パネル９の中央開口の奥部には、板金製のフィルタ受け部材１１が嵌合されている。このフィルタ受け部材１１の受け部１１ａには吸込空気を浄化するフィルタ１３が当接している。また化粧パネル９の中央開口の前部には、両側に吸込口１５としての空間を残すように板金製のセンターパネル１７が設けられる。
【００１４】
この板金製のセンターパネル１７には、図１に示すように、脚部１００，１００を介して、前述のフィルタ１３が支持されており、これらは四本の吊りひも１９を介して、化粧パネル９に昇降自在に吊持されている。
【００１５】
図３に示すように、センターパネル１７の四ヶ所には四本の吊りひも１９の一端１９ａがそれぞれ止着され、各吊りひも１９の他端１９ｂは上方へ延出して、それぞれローラ２１に巻かれた後に、ほぼ水平に延出し、図４に示すように、昇降機構２３につながれている。この昇降機構２３は、板金製のプレート２４上に固定され、この板金製のプレート２４は、図１に示すように、化粧パネル９の中央の開口のほぼ中央位置に掛け渡されている。
【００１６】
この昇降機構２３は、図４に示すように、四個のプーリ２５を有し、各プーリ２５には、前述した各吊りひも１９の他端１９ｂが止着されている。四個のプーリ２５は、一本のシャフト２７の両端部に二個ずつ分けて連結され、この一本のシャフト２７は、ギヤ２９，３１を介してモータ３３の出力軸に連結されている。３５，３７は軸受けである。
【００１７】
各プーリ２５には、図５に示すように、クラッチを含む動力伝達機構が付設される。図５は、シャフト２７の一端のみを図示し、このシャフト２７の端部にはストッパ３９、ゴム材４１、スペーサ４３、ばね４５、ゴム材４６、ばね座４７、皮材４９、二個のプーリ２５，２５、皮材５１、ばね座５３、ゴム材５４、ばね５５、スペーサ５７、ゴム材５８、及びストッパ５９の順に嵌め込まれ、両側に位置するストッパ３９，５９が、図６に示すように、所定の間隔をあけてシャフト２７にねじ６２で止着されると、動力伝達機構が構成される。
【００１８】
これによると、シャフト２７が回転する時、通常であれば、ばね４５，５５のばね力で発生する摩擦力により、シャフト２７にプーリ２５，２５が連結されるので、プーリ２５に動力が伝達され、プーリ２５はこのシャフト２７と一体に回転して、それぞれの吊りひも１９は繰り出し／巻き取りされる。
【００１９】
なお、各吊りひも１９は、各プーリ２５，２５に対して同一方向に巻回されるが、図６に示すように、一方の吊りひも１９はプーリ２５の上縁から引き出され、他方の吊りひも１９はプーリ２５の下縁から引き出されることにより、同時に繰り出し／巻き取りが行われる。
【００２０】
ところが、プーリ２５，２５がそれぞれの吊りひも１９を所定時間の間完全に巻き取ったとしても、各吊りひも１９の長さのばらつきに起因して、前述したセンターパネル１７が化粧パネル９の所定の位置に格納されずに、斜めになったりする場合がある。一般には、このような場合を想定して、プーリ２５，２５が吊りひも１９を所定時間の間完全に巻き取って、センターパネル１７がほぼ上昇しきったであろうと推定されても、更に所定時間、例えば、４〜５秒の間シャフト２７を回転させて、プーリ２５，２５によって吊りひも１９を巻き取る動作が行われる。この場合には、早く巻き取られたプーリ２５は、前述のクラッチが動作して、空回りする。即ち、吊りひも１９を完全に巻き取っているプーリ２５は最早巻き取るものがないのであるから、その位置において、各ばね４５，５５のばね力により発生する摩擦力に抗して空回りする。
【００２１】
この実施の形態によれば、センターパネル１７は板金製であり、重量が重くて昇降させる場合にはかなりのトルクを必要とする。シャフト２７を回転させて、プーリ２５を回転させる場合、前述のようにトルクの伝達はばね４５，５５が司る。このトルクの伝達を確実なものにするために、ストッパ３９とスペーサ４３との間にゴム材４１が介装され、スペーサ４３とばね座４７との間にゴム材４６が介装され、ばね座４７とプーリ２５との間に皮材４９が介装される。また、プーリ２５とばね座５３との間に皮材５１が介装され、ばね座５３とスペーサ５７との間にゴム材４６が介装され、更にスペーサ５７とストッパ５９との間にゴム材５８が介装される。
【００２２】
長期間に亘る実証試験の結果では、プーリ２５に摺接する側にスリップ止めとしての皮材４９，５１を介装し、そうでない側にゴム材４１，４６，５４，５９を介装することにより、最も良好にトルク伝達できることが判明している。
【００２３】
この実施の形態によれば、昇降機構２３は、化粧パネル９の開口の中央に配置されるので、四本の吊りひも１９の長さを等しくすることができ、繰り出し／巻き取り時には、同じ力で懸吊するので、力のバランスをとることができる。従って、特にセンターパネル１７のように重量の重いものを吊り上げる場合にも、モータ３３等を含む昇降機構２３に過度な力がかかることはなく、センターパネル１７をスムーズに昇降させることができる。
【００２４】
また、この実施の形態によれば、板金製のセンターパネル１７の上部に脚部１００を介してフィルタ１３が設けられるので、センターパネル１７の昇降時に振動が発生したとしても、フィルタ１３に付着するごみはセンターパネル１７の上面に落下し、そこに捕集される。従って、フィルタ１３の交換時等に当該フィルタ１３に付着するごみが床に落下することはなく、きわめて衛生的であるので、食品関係の工場や販売店等における空気調和装置に利用しても、ごみの落下というトラブルからはほぼ完全に解放される。
【００２５】
つぎに、別の実施の形態について説明する。
【００２６】
この種の空気調和装置では、センターパネル１７を、吊りひも１９で昇降させる方式を採用するので、電源を投入して、当該センターパネル１７を化粧パネル９の所定の位置に完全に吊り上げるまでは、当該センターパネル１７がぶらぶらしていると、他の工事の邪魔になるという問題がある。
【００２７】
そこで、空気調和装置の設置工事の際には、電源を投入する前にセンターパネル１７を化粧パネル９の所定の位置に仮止めすることが行われる。通常、このセンターパネル１７は重量が重く、そのわりには剛性に欠ける薄い鉄板等により形成されるので、センターパネル１７を仮止めする場合には、両端を仮止めしただけでは、中央が大きく撓んで、このセンターパネル１７が変形する。
【００２８】
これを解消するために、図７〜図９に示すように、センターパネル１７の両端、及び中央の三ヶ所を、それぞれ化粧パネル９に一時的に仮止めするための仮止め具８１，９１が設けられる。一方の仮止め具８１は、センターパネル１７の両端を仮止めするものであり、図７に示すように、一対の係止体８３を有し、この係止体８３にはフック８３ａが形成される。
【００２９】
そして、センターパネル１７を仮止めする際には、一対の係止体８３を、センターパネル１７の端縁１７ａに嵌合し、この係止体８３を所定量スライドさせて、係止体８３のフック８３ａに、化粧パネル９から一体的に延びる突出ピン８７が係合したならば、この係止体８３を、センターパネル１７の端縁１７ａにそれぞれねじ８５で止着する。これによって、センターパネル１７の両端の仮止めは完了である。なお、係止体８３は仮止め時にのみ必要であり、それ以外の場合には係止体８３は邪魔である。そこで、不必要な場合には、図８に示すように、係止体８３を反対向きにしてこの係止体８３を、センターパネル１７の端縁１７ａに内側から嵌合して、同じねじ８５で止着する。なお、一方の係止体８３のみを反対向きにした状態を便宜上図示しているが、他方の係止体８３も同様に反対向きにして、同じねじ８５で止着することは言うまでもない。これによれば、必要に応じて、係止体８３を取り外して使用することができるので、いつでもセンターパネル１７の両端を仮止めすることができる。
【００３０】
他方の仮止め具９１は、図９ａに示すように、センターパネル１７の中央を仮止めするものである。この仮止め具９１は、図９ｂ，図９ｃに示すように、矢印の方向に回動自在な回動プレート９３を有し、この回動プレート９３の軸９３ａは、前述したプレート２４（図１参照）の下面から一体的に延びる支持体９５に回動自在に支持されている。センターパネル１７の中央の仮止めは、両端を仮止めした後に行われる。図９に示す状態は、仮止めした状態である。
【００３１】
通常、回動プレート９３は、図９ｂの状態から９０度回動して、図９ｃに示す状態にある。この状態では、センターパネル１７に固定された脚部１００，１００と、回動プレート９３との係合は解かれ、センターパネル１７はフィルタ１３と一体に昇降自在な状態になる。センターパネル１７を仮止めする際には、回動プレート９３を、図９ｂに示すように回動する。これによれば、回動プレート９３を回動させるだけの操作で、仮止めが完了する。
【００３２】
以上、一実施の形態に基づいて本発明を説明したが、本発明は、これに限定されるものでないことは明らかである。
【００３３】
例えば、二方向カセット型の空気調和装置について説明したが、四方向カセット型のものにも適用は可能であり、またセンターパネルに限定されず、格子孔を有する吸込グリルの昇降装置にも適用は可能である。
【００３４】
【発明の効果】
請求項１又は２に記載の発明によれば、センターパネルの上部に脚部を介してフィルタが設けられるので、このセンターパネルの昇降時に振動等が発生したとしても、このフィルタに付着するごみはセンターパネルの上に落下し、そこに捕集されるので、例えば床に落下することはない。
【００３５】
請求項３に記載の発明によれば、センターパネルを両端、及び中央の三ヶ所の仮止め具を用いて仮止めするので、重量が重く、そのわりには剛性に欠ける薄い鉄板等により形成されるセンターパネルを仮止めする場合にも、中央が大きく撓んで変形したりすることはなく、当該変形は抑制される。
【図面の簡単な説明】
【図１】本発明による天井埋込型空気調和装置の一実施の形態を示す斜視図である。
【図２】同じく断面図である。
【図３】センターパネルを示す斜視図である。
【図４】昇降機構を示す平面図である。
【図５】クラッチ機構を示す斜視図である。
【図６】図５の要部の拡大図である。
【図７】センターパネルの両端の仮止め具を示す斜視図である。
【図８】図７の仮止め具を格納した状態を示す斜視図である。
【図９】センターパネルの中央の仮止め具を示す斜視図である。
【符号の説明】
１  本体
３  熱交換器
５  送風機
７  吹出口
９  化粧パネル
１１  フィルタ受け部材
１３  フィルタ
１５  吸込口
１７  センターパネル
１９  吊りひも
８１，９１  仮止め具
１００  脚部
【図１】
0003816170.tif 000002
【図２】
0003816170.tif 000003
【図３】
0003816170.tif 000004
【図４】
0003816170.tif 000005
【図５】
0003816170.tif 000006
【図６】
0003816170.tif 000007
【図７】
0003816170.tif 000008
【図８】
0003816170.tif 000009
【図９】
0003816170.tif 000010